(57)【特許請求の範囲】
【請求項１】
浴槽本体部と浴槽開閉部とからなる浴槽体を備えた簡易入浴機の排水機構部において、排水開口の開閉を上下動によって行う排水蓋と、該排水蓋の下方に当接して上下動させる手動ロッド部と，該手動ロッド部を操作する手動操作部とからなる手動伝達系統と、前記排水蓋の下方に当接して上下動させる電動ロッド部と、該電動ロッド部を操作する電動操作部とからなる電動伝達系統とが具備され、前記手動伝達系統と前記電動伝達系統とは、前記排水蓋を、それぞれ独立して開けることを特徴とする簡易入浴装置。
【請求項２】
請求項１において、前記手動ロッド部は、軸方向中間位置を揺動中心部として揺動し，軸方向一端部にて前記排水蓋の下方側に当接すると共に軸方向他端が前記手動操作部にて上下動され、前記電動ロッド部は軸方向中間位置を揺動中心部として揺動し，軸方向一端部にて前記排水蓋の下方側に当接すると共に軸方向他端が電動操作部によって上下動されてなることを特徴とする簡易入浴装置。
【請求項３】
請求項１又は２において、前記手動操作部と、前記手動ロッド部との間には、軸方向中間位置を揺動中心として揺動する手動リンクが設けられ、該手動リンクの軸方向一端部が前記手動ロッド部の他端側に連接され、該手動ロッド部の他端側が前記手動操作部にて上下動してなることを特徴とする簡易入浴装置。
【請求項４】
請求項１，２又は３のいずれか１項の記載において、前記電動操作部は、モータによって前記電動ロッド部が上下動してなることを特徴とする簡易入浴装置。
【請求項５】
請求項１，２又は３のいずれか１項の記載において、前記電動操作部は、ソレノイド機構部によって前記電動ロッド部が上下動してなることを特徴とする簡易入浴装置。
【請求項６】
請求項１,２,３,４又は５のいずれか１項の記載において、前記手動操作部のノブハンドル部と電動操作部のスイッチ部は、前記浴槽体の浴槽上部に設けられてなることを特徴とする簡易入浴装置。
【発明の詳細な説明】
【技術分野】
【０００１】
本発明は、排水時に通常は、排水口の排水蓋をモータにより開閉し、電動系統の故障又は停電時に排水蓋が閉じている場合には手動にて容易に排水することができる身体障害者及び被介護者等のための簡易入浴装置に関する。
【背景技術】
【０００２】
従来、身障者、老人等の被介護者のための介護専用の入浴設備として、種々の簡易浴槽が存在している。この種の簡易浴槽は、一般家庭の入浴設備とは異なり、浴水が給排水可能な場所であれば、容易に設置することが可能である。しかし、簡易浴槽に入浴者が入って入浴しているときに、停電した場合、入浴者が簡易浴槽から出ようとする場合に、簡易浴槽の扉が開かなくては、入浴者が浴槽から出てゆくことができない。
【０００３】
そのために、浴槽内の湯（浴水）は、確実に排水されなければならない。また、簡易浴槽は、一つのバスユニット内に種々の機能が詰め込まれており、重量が極めて重いものとなっている。このため、浴水が十分に満たされた状態では、総重量が極めて重くなり、浴槽の設置位置を変更するためには、やはり浴槽は排水が確実に行われなければならない。
【特許文献１】特開平１１−３２４０５３号
【特許文献２】特開２０００−２１３０３２
【特許文献３】特開２０００−７３４２６
【発明の開示】
【発明が解決しようとする課題】
【０００４】
特許文献１乃至３には、浴槽の排水口における排水蓋の開閉を遠隔操作する機構が開示されている。特許文献１及び特許文献２では、レリースワイヤを介して遠隔操作する排水蓋の開閉装置が開示されたものであり、特許文献３にはレリースワイヤを電動及び手動の両手段によって行うものが開示されている。すなわち、排水栓の裏面側には、前記レリースワイヤが接続されており、該レリースワイヤが排水蓋を押し上げる構造となっている。
【０００５】
さらに、特許文献３では、排水口の排水蓋の開閉を電動及び手動の両方の手段を使用できるものであり、手動による排水蓋の開閉手段は、停電時又は電気系統の故障によって、電動制御による排水蓋の開閉が不可能となった場合に、手動による手段にて排水を行うことができるものである。しかし、特許文献３では、電動及び手動の両手段も共に共通の１本のレリースワイヤが排水蓋（排水栓）に連結されたものであり、該レリースワイヤがモータ等に直結されている場合には、停電時におけるモータの停止位置によっては、手動による排水栓を上下に動作させることが行い難くなることも十分にあり得る。
【０００６】
このように排水蓋を上下動させる伝達系統が一つのみで、１本のみのレリースワイヤに支障が生じて移動ができなくなると、電動のみでなく手動によっても、排水栓への開閉動作伝達ができなくなるおそれが十分にある。本発明が解決しようとする課題（技術的課題又は目的）は、介護専用入浴設備の簡易浴槽において、排水の排水蓋が閉じている場合に、排水蓋を開ける動作を、電動が故障した場合でも手動にて行うことができ、且つその構造を簡単にすることである。
【課題を解決するための手段】
【０００７】
請求項１の発明を、浴槽本体部と浴槽開閉部とからなる浴槽体を備えた簡易入浴機の排水機構部において、排水開口の開閉を上下動によって行う排水蓋と、該排水蓋の下方に当接して上下動させる手動ロッド部と，該手動ロッド部を操作する手動操作部とからなる手動伝達系統と、前記排水蓋の下方に当接して上下動させる電動ロッド部と、該電動ロッド部を操作する電動操作部とからなる電動伝達系統とが具備され、前記手動伝達系統と前記電動伝達系統とは、前記排水蓋が閉じた状態から、それぞれ独立して前記排水蓋を開けることを可能としてなる簡易入浴装置としたことにより、上記課題を解決した。
【０００８】
請求項２の発明を、前述の構成において、前記手動ロッド部は、軸方向中間位置を揺動中心部として揺動し，軸方向一端部にて前記排水蓋の下方側に当接すると共に軸方向他端が前記手動操作部にて上下動され、前記電動ロッド部は軸方向中間位置を揺動中心部として揺動し，軸方向一端部にて前記排水蓋の下方側に当接すると共に軸方向他端が電動操作部によって上下動されてなる簡易入浴装置としたことにより、上記課題を解決した。
【０００９】
請求項３の発明を、前述の構成において、前記手動操作部と、前記手動ロッド部との間には、軸方向中間位置を揺動中心として揺動する手動リンクが設けられ、該手動リンクの軸方向一端部が前記手動ロッド部の他端側に連接され、該手動ロッド部の他端側が前記手動操作部にて上下動してなる簡易入浴装置としたことにより、上記課題を解決した。請求項４の発明を、前述の構成において、前記電動操作部は、モータによって前記電動ロッド部が上下動してなる簡易入浴装置としたことにより、上記課題を解決した。
【００１０】
請求項５の発明を、前述の構成において、前記電動操作部は、ソレノイド機構部によって前記電動ロッド部が上下動してなる簡易入浴装置としたことにより、上記課題を解決した。請求項６の発明を、前述の構成において、前記手動操作部のノブハンドル部と電動操作部のスイッチ部は、前記浴槽体の浴槽上部に設けられてなる簡易入浴装置としたことにより、上記課題を解決した。
【発明の効果】
【００１１】
請求項１の発明によって、排水開口の開閉を上下動によって行う排水蓋と、該排水蓋の下方に当接して上下動させる手動ロッド部と，該手動ロッド部を操作する手動操作部とからなる手動伝達系統と、前記排水蓋の下方に当接して上下動させる電動ロッド部と、該電動ロッド部を操作する電動操作部とからなる電動伝達系統とを具備したものである。
【００１２】
すなわち、前記手動ロッド部及び電動ロッド部は、それぞれの個別に排水蓋の下方に当接しているのみであり、手動伝達系統と電動伝達系統において共有する部品は存在しない。これによって、手動伝達系統によって排水蓋を上昇させて排水開口を開く作業と、電動伝達系統によって前記排水蓋を上昇させて排水開口を開く作業は、完全に独立して操作することができる。そのために、通常では電動伝達系統によって排水蓋を上昇させて排水開口を開ける場合に、停電によって電動伝達系統が停止し、排水蓋が閉じた状態で、電動ロッド部による排水蓋の上昇が不可能となっても、前記手動伝達系統の手動操作部の動作のみで排水蓋を上昇させることができる。
【００１３】
そして、排水開口を開いて排水することができ、停電又は電動伝達系統の動力源等のみならず、その部品に損傷が生じても、該電動伝達系統とは全く異なる手動伝達系統によって、排水蓋を開ける動作を確実に行うことができる。このように、本発明では、前記手動伝達系統と電動伝達系統とは共有する構成部品は存在せず、排水蓋を開ける動作においては、手動伝達系統と電動伝達系統とが相互に干渉することなく、それぞれが独立して操作することができる。手動伝達系統による排水蓋の開きが確実に行われ、停電又は故障によって、電動伝達系統が使用できなくとも、手動伝達系統によって浴槽体の排水を簡単且つ確実にすることができる。
【００１４】
請求項２の発明によって、前記手動ロッド部は、軸方向中間位置を揺動中心部として揺動し，軸方向一端部にて前記排水蓋の下方側に当接すると共に軸方向他端が前記手動操作部にて上下動され、前記電動ロッド部は軸方向中間位置を揺動中心部として揺動し，軸方向一端部にて前記排水蓋の下方側に当接すると共に軸方向他端が電動操作部によって上下動されてなる構造としたので、手動伝達系統の手動ロッド部の揺動動作を安定させることができ、また電動伝達系統においても電動ロッド部の揺動動作を安定させることができ、極めて簡易な構造にて、排水蓋の良好な開閉動作を得ることができる。
【００１５】
請求項３の発明によって、前記電動リンクの長手方向の長さ分だけ、前記手動ロッド部の長手方向の長さを短くすることができ、これによって該手動操作部５は、揺動の上下振幅を大きく設定することができ、浴槽体の限られたスペース内に手動ロッド部の装着スペースを確保することができ、ひいては手動ロッド部の浴槽体内部への設置箇所における省スペース化によって、浴槽体の小型化を実現できるものである。
【００１６】
請求項４の発明によって、前記電動操作部は、モータによって前記電動ロッド部が上下動（揺動）し、安定した動力を供給できる。請求項５の発明によって、前記電動操作部は、ソレノイド機構部によって前記電動ロッド部が上下動（揺動）する構造としたので、ソレノイド機構部によって、動力源の小型化及び省スペース化を実現することができ、ひいては浴槽体の小型化を実現することができる。
【００１７】
請求項６の発明によって、前記手動操作部のノブハンドル部と電動操作部のスイッチ部は、前記浴槽体の浴槽上部に設けられることによって、通常の電動伝達系統によるスイッチ部の操作、或いは停電時におけるノブハンドル部の操作を入浴者に負担をかけずに容易に操作することができるものである。
【発明を実施するための最良の形態】
【００１８】
以下、本発明の実施形態を図面に基づいて説明する。浴槽体１は、図１（Ａ），図６に示すように、主に浴槽本体部１１と浴槽開閉部１２とから構成され、その浴槽本体部１１と浴槽開閉部１２とで浴槽体１が構成される。その浴槽本体部１１と浴槽開閉部１２によって、入浴者が入る浴槽室部１３が形成されている。前記浴槽本体部１１の形状は、略立方体又は略直方体等で且つ開口が形成され、カプセル或いは繭形等の筐体形状に形成されたものである。そして、前記浴槽本体部１１の上方に位置する開口部が上面開口部１１ａとなり、正面側に位置する開口部が出入り口部１１ｂとなる。該出入り口部１１ｂは、入浴者が浴槽体１の浴槽室部１３内に出入りするための開口となり、前記浴槽開閉部１２を浴槽本体部１１に閉じることで浴槽室部１３は水密性が保たれる（図８参照）。
【００１９】
その浴槽本体部１１と浴槽開閉部１２とは、合成樹脂で形成されており、それぞれが成形型によって一体成形品として形成される。浴槽本体部１１と浴槽開閉部１２とが開閉する構成となっており、その開閉構造は、前記浴槽本体部１１に前記浴槽開閉部１２が枢支連結されて、スイングする扉状構造である〔図１（Ａ）参照〕。また、図示しないが、前記浴槽本体部１１と前記浴槽開閉部１２とが完全に分離する構造とした実施形態も存在する。前記浴槽本体部１１の内部には座席部１４が形成されている〔図１（Ａ）参照〕。
【００２０】
排水機構は、図１（Ｂ），図２に示すように、排水口筐体２，排水蓋３，手動伝達系統Ａ，電動伝達系統Ｂから構成されている。そして、前記排水機構は、図１（Ａ），図８に示すように、前記浴槽体１の底面部１５に装着されている。また、前記排水機構は、浴槽体１の浴槽本体部１１又は浴槽開閉部１２のいずれかに設置される。前記排水口筐体２は、図１（Ｂ），図２及び図３に示すように、排水室２１，排水開口２２，手動伝達ケーシング部２３，電動伝達ケーシング部２４及び排出管部２５から構成されている。さらに、前記排水開口２２には、フィルタ２６が装着されている。
【００２１】
前記排水室２１は、その外形は、略円筒状のケーシングで、内部は略円筒状の部屋となっている。その直径方向の中心位置には、ガイド軸２１ａが形成されている。該ガイド軸２１ａは、前記排水蓋３を上下方向に案内する役目をなす（図４参照）。また前記ガイド軸２１ａは、略柱形状に形成されたものであり、後述する手動ロッド部４及び電動ロッド部６等と干渉しないように形成されている〔図１（Ｂ）参照〕。前記排水室２１の上方には、排水開口２２が形成されており、該排水開口２２より排水室２１に浴槽体１の浴水が流れ込むようになっている。前記排水開口２２の周囲にはフランジ部２１ｂが形成され、該フランジ部２１ｂが浴槽本体部１１の底面部１５に配置される〔図１（Ａ）参照〕。
【００２２】
前記手動伝達ケーシング部２３は、前記排水室２１の側面部から外方に突出するように形成されたものであって、手動伝達系統Ａの手動ロッド部４が装着される部位である。前記手動伝達ケーシング部２３の内部には、接合部２３ａ及び被覆部２３ｂから構成されている（図４参照）。前記接合部２３ａ及び被覆部２３ｂは共に、管形状に形成されており、前記接合部２３ａが排水室２１の室内に連通するように接合固着される〔図４（Ｂ）参照〕。そして、前記接合部２３ａに被覆部２３ｂが被せられて、前記接合部２３ａと被覆部２３ｂとの間に、後述する手動ロッド部４の揺動中心部４２を回動自在に支持する軸支部２３ｃが形成される〔図４（Ａ）参照〕。該軸支部２３ｃは空隙部として形成されている。また前記接合部２３ａと前記被覆部２３ｂとは、ネジ接合による接合手段が用いられる。
【００２３】
前記電動伝達ケーシング部２４は、前記手動伝達ケーシング部２３と略同様に、前記排水室２１の側面部から外方に突出するように形成されたものであって、電動伝達系統Ｂの電動ロッド部６が装着される部位である。前記電動伝達ケーシング部２４の内部には、接合部２４ａ及び被覆部２４ｂから構成されている（図５参照）。前記接合部２４ａ及び被覆部２４ｂは共に、管形状に形成されており、前記接合部２４ａが排水室２１の室内に連通するように接合固着される。そして、前記接合部２４ａに被覆部２４ｂが被せられて、前記接合部２４ａと被覆部２４ｂとの間に、後述する電動ロッド部６の揺動中心部６２を回動自在に支持する軸支部２４ｃが形成される。該軸支部２４ｃは空隙部として形成されている。また前記接合部２４ａと前記被覆部２４ｂとは、ネジ接合による接合手段が用いられる。
【００２４】
排水蓋３は、図２，図４（Ｂ）に示すように、略円板形状をなしており、裏面側より、後述する手動ロッド部４又は電動ロッド部６が当接する構成となっている。さらに具体的には、前記排水蓋３の蓋板部３１の裏面側に被ガイド筒状部３２が形成されている。該被ガイド筒状部３２には軸方向に沿って被ガイド穴３２ａが形成されている。そして、該被ガイド穴３２ａには、図４（Ａ），（Ｂ）に示すように、前記ガイド軸２１ａが挿入され、排水蓋３は、前記ガイド軸２１ａによって、上下方向に移動することができる。また、手動ロッド部４及び電動ロッド部６が、前記排水蓋３の裏面側に当接する状態とは、前記被ガイド筒状部３２の下端面に当接することとなる。
【００２５】
前記手動伝達系統Ａは、図１（Ｂ），図３（Ａ），（Ｂ）に示すように、後述する手動操作部５の手動操作によって、前記排水蓋３を前記排水開口２２にて上に移動させて、排水開口２２における開動作を行わせるものであって、手動ロッド部４及び手動操作部５とから構成されている〔図３（Ａ）参照〕。前記手動ロッド部４は、軸体４１の軸方向の略中央箇所に揺動中心部４２が形成され〔図３（Ａ），（Ｂ）参照〕、該揺動中心部４２が前記手動伝達ケーシング部２３内に収められ、軸方向一端を手動作用端部４１ａとして、前記排水蓋３の裏面に当接して、手動ロッド部４が揺動中心部４２を中心にして揺動する〔図１，図３（Ａ），（Ｂ）参照〕。また、前記軸体４１の軸方向他端側を被伝達端部４１ｂとして、後述する手動操作部５に接続されている。前記揺動中心部４２は、具体的には、図２，図３（Ａ），（Ｂ）に示すように球体として形成されたものであり、可能な限り真球に近いものが好ましい。
【００２６】
前記手動ロッド部４は、前記手動作用端部４１ａ側を前記接合部２３ａから前記排水室２１内部のガイド軸２１ａ付近に遊挿状態で挿入し、該揺動中心部４２が軸支部２３ｃに支持されるようにして、前記接合部２３ａに被覆部２３ｂが被覆される。このとき、前記手動ロッド部４の揺動中心部４２は、軸支部２３ｃ内にてシール材等を介して水密状に構成される。手動ロッド部４は、前記揺動中心部４２を揺動中心として揺動することができ、排水室２１内にて前記手動作用端部４１ａは上下動する。
【００２７】
手動操作部５は、図３（Ａ），（Ｃ）に示すように、手動操作ノブ５１，手動連結部５２とから構成される。前記手動操作ノブ５１は、ノブハンドル部５１ａと、ノブベース部５１ｂとから構成されている。該ノブベース部５１ｂは内部に摺動孔が形成され、前記ノブハンドル部５１ａがノブベース部５１ｂに対して上下方向に移動操作できるようになっている〔図３（Ｃ）参照〕。前記ノブベース部５１ｂは、浴槽体１の浴槽上部１６に設置され、ノブハンドル部５１ａによる排水蓋３の開操作を浴槽体１の上部から操作することができる。前記浴槽上部１６は、浴槽体１の上方位置に形成された水平状の段差部であり、種々の操作スイッチが配置されている。手動連結部５２は、連結材５２ａの両側にジョイント部材５２ｂが装着されたものである。前記連結材５２ａとしては、ワイヤが使用される。ワイヤ（連結材５２ａ）は、フレキシブルな金属製のものが強度及び耐久性等の点から好ましい。
【００２８】
また、前記手動ロッド部４と前記手動連結部５２との間には手動リンク５３が設けられている。該手動リンク５３は、長手方向の中間領域（中間及びその近傍）に揺動中心部５３ａが形成され、手動リンク５３の長手方向一端側が前記手動ロッド部４の被伝達端部４１ｂに連結されている。具体的には、手動ロッド部４の被伝達端部４１ｂに長孔４１ｃが形成され、前記手動リンク５３にはピン５３ｂが形成され、ピン５３ｂが前記長孔４１ｃに対して摺動自在に接合されている。そして、前記手動リンク５３は、前記手動連結部５２のジョイント部材５２ｂに連結されている〔図２、図３（Ａ）参照〕。また、前記図６は、手動伝達系統Ａの別の実施形態であり、前記手動リンク５３が存在しない実施形態で、手動ロッド部４と手動操作部５とを直接、接続した実施形態である。
【００２９】
前記電動伝達系統Ｂは、図１（Ｂ），図５に示すように、電動操作部７の電動操作によって、前記排水蓋３を前記排水開口２２にて上に移動させて、排水開口２２における開動作を行わせるものであって、電動ロッド部６及び電動操作部７とから構成されている〔図１（Ａ），図５参照〕。前記電動ロッド部６は、軸体６１の軸方向の略中央箇所に揺動中心部６２が形成され（図５参照）、該揺動中心部６２が前記電動伝達ケーシング部２４内に収められ、軸方向一端を電動作用端部６１ａとして、前記排水蓋３の裏面に当接して、電動ロッド部６が揺動中心部６２を中心にして揺動する。また、前記軸体６１の軸方向他端側を被伝達端部６１ｂとして、後述する電動操作部７に接続されている。前記揺動中心部６２は、具体的には、図２，図５等に示すように、球体として形成されたものであり、可能な限り真球に近いものが好ましい。
【００３０】
前記電動ロッド部６は、前記電動作用端部６１ａ側を前記接合部２４ａから前記排水室２１内部のガイド軸２１ａ付近に遊挿状態で挿入し、該揺動中心部６２が軸支部２４ｃに支持されるようにして、前記接合部２４ａに被覆部２４ｂが被覆される。このとき、前記電動ロッド部６の揺動中心部６２は、軸支部２４ｃ内にてシール材等を介して水密状に構成される。電動ロッド部６は、前記揺動中心部６２を揺動中心として揺動することができ、排水室２１内にて前記電動作用端部６１ａは上下動する。
【００３１】
前記電動伝達系統Ｂは、前記手動伝達系統Ａと同様に前記排水蓋３を前記排水開口２２にて上に移動させて、排水開口２２における開動作を行わせるものであるが、前記手動伝達系統Ａとは、全て別の部材から構成されたものである。電動伝達系統Ｂは、電動ロッド部６及び電動操作部７とから構成されている。前記電動ロッド部６は、軸体６１の軸方向の略中央箇所に揺動中心部６２が形成され、該揺動中心部６２が前記電動伝達ケーシング部２４内に収められ、軸方向一端を電動作用端部６１ａとして、前記排水蓋３の裏面に当接して、電動ロッド部６が揺動中心部６２を中心にして揺動する。
【００３２】
また、前記軸体６１の軸方向他端側を被伝達端部６１ｂとして、後述する電動操作部７に接続されている。前記手動ロッド部４の手動作用端部４１ａ及び電動ロッド部６の電動作用端部６１ａが前記排水蓋３に形成された被ガイド筒状部３２の下端面に当接しており、前記手動ロッド部４の手動作用端部４１ａ又は電動ロッド部６の電動作用端部６１ａが前記被ガイド筒状部３２の下端面を介して押し上げる構造となっている。排水蓋３は、手動作用端部４１ａ、電動作用端部６１ａが共に下降している時に、自重にて下降し排水開口２２を閉じる。
【００３３】
該電動操作部７は、電動機部７１，電動連結部７２，電動リンク７３及び電動スイッチ部７４とから構成される。前記電動機部７１は、具体的にはモータ７１ａが使用される。該電動機部７１の駆動軸には、電動連結部７２が装着されている。該電動連結部７２は、前記駆動軸が固着される回転中心部から離れて偏心した位置に枢支ピン７２aが装着されたものである。電動リンク７３は、軸方向一端が枢支ピン７２ａと枢支連結され、他端が前記電動ロッド部６の被伝達端部６１ｂと枢支連結している。
【００３４】
そして、前記電動機部７１が始動して駆動軸が回転することによって、前記電動連結部７２，前記電動リンク７３から電動ロッド部６に動作伝達が行われ、電動ロッド部６が揺動動作を行い、前記排水蓋３を上昇させ、排水開口２２の開動作を行うものである。図７は、電動伝達系統Ｂの別の実施形態であり、電動操作部７における動力源としてソレノイド機構部７１ｂが使用されたものである。このソレノイド機構部７１ｂは、通電すると、該ソレノイド機構部７１ｂに向かって電動連結部７２が上下動し、電動ロッド部６を揺動させる。前記電動機部７１の始動，停止は、電動スイッチ部７４によって行われ、該電動スイッチ部７４は、浴槽体１の上部に防水タイプのスイッチとして装着されている。
【００３５】
本発明では、排水開口２２における排水蓋３の開閉は、通常は電動伝達系統Ｂにおいて電動によって操作する。電動伝達系統Ｂの電動機部７１の始動，停止は、電動スイッチ部７４によって行われる。電動スイッチ部７４は、浴槽体１の浴槽上部１６に形成された平坦状の段差面部に装着され、オンオフ動作を行い易いものとなっている。そして、浴槽体１に十分に浴水が満たされた状態で入浴を終了しようとするときに、停電又は電動伝達系統Ｂの故障が発生したときには、手動伝達系統Ａにおける手動操作部５によって、排水蓋３を開いて、排水開口２２より排水を行うものである。排水開口２２より排水された浴水は、排水室２１を通して、排出管部２５から浴槽体１の外部に排出する。
【００３６】
本発明は、手動伝達系統Ａは、手動ロッド部４，手動操作部５とからなり、電動伝達系統Ｂは電動ロッド部６，電動操作部７とから構成され、手動伝達系統Ａと電動伝達系統Ｂにおいて共有する部品は存在しない。これによって、手動伝達系統Ａによって排水蓋３を上昇させて排水開口２２を開く作業と、電動伝達系統Ｂによって前記排水蓋３を上昇させて排水開口２２を開く作業は、完全に独立して操作することができる。そのために、通常では電動伝達系統Ｂによって排水蓋３を上昇させて排水開口２２の開動作を行う場合に、停電によって電動伝達系統Ｂが停止し、排水開口２２が閉じた状態で電動ロッド部６による排水蓋３の上昇が不可能となっても、前記手動伝達系統Ａの手動操作部５の操作のみで排水蓋３を開くことができる。
【図面の簡単な説明】
【００３７】
【図１】（Ａ）は本発明を装着した浴槽体の斜視図、（Ｂ）は手動伝達系統及び電動伝達系統による排水室箇所の一部断面にした構成図である。
【図２】手動伝達系統及び電動伝達系統による排水室箇所の一部断面にした斜視図である。
【図３】（Ａ）は手動伝達系統において閉じた状態の縦断側面図、（Ｂ）は手動伝達系統において開いた状態の縦断側面図、（Ｃ）は電動伝達系統の要部拡大断面図である。
【図４】（Ａ）は排水室箇所の拡大断面図、（Ｂ）は排水室箇所の分解図である。
【図５】電動伝達系統の構成を示す拡大断面図である。
【図６】手動伝達系統の別の実施形態の構成図である。
【図７】電動伝達系統の別の実施形態の構成図である。
【図８】浴槽体の縦断側面図である。
【符号の説明】
【００３８】
１…浴槽体、１１…浴槽本体部、１２…浴槽開閉部、２２…排水開口、３…排水蓋、
Ａ…手動伝達系統、４…手動ロッド部、４２…揺動中心部、５…手動操作部、
５１ａ…ノブハンドル、５３…手動リンク、Ｂ…電動伝達系統、６…電動ロッド部、
６２…揺動中心部、７…電動操作部、７１ａ…モータ、７２…ソレノイド機構部、
７４…スイッチ部。
【図１】
0004927666.tif 000002
【図２】
0004927666.tif 000003
【図３】
0004927666.tif 000004
【図４】
0004927666.tif 000005
【図５】
0004927666.tif 000006
【図６】
0004927666.tif 000007
【図７】
0004927666.tif 000008
【図８】
0004927666.tif 000009